(57)【要約】【課題】カップホルダとしての機能と小物入れとしての機能とをより一層高次元に両立させることができるように改良された自動車の小物入れ兼用カップホルダ装置を提供する。【解決手段】箱状体３と、該箱状体の開口を閉じるスライド蓋２と、箱状体の開口面に沿って設けられる飲料容器支持部材６とを有する自動車の小物入れ兼用カップホルダ装置１における飲料容器支持部材を、スライド蓋に摺動自在に取り付けるものとする。これにより、スライド蓋を開いた時に飲料容器支持部材をスライド蓋と重なり合わせることができ、カップホルダとして利用する時にのみスライド蓋から飲料容器支持部材を突出させることができるので、小物入れとして利用する際に飲料容器支持部材が邪魔にならずに済む。【選択図】      図２
2004149025.tif 000002
【特許請求の範囲】
【請求項１】
箱状体と、該箱状体の開口を閉じるスライド蓋と、前記箱状体の開口面に沿って設けられる飲料容器支持部材とを有する自動車の小物入れ兼用カップホルダ装置であって、
前記飲料容器支持部材が、前記スライド蓋に摺動自在に取り付けられることを特徴とする自動車の小物入れ兼用カップホルダ装置。
【請求項２】
前記飲料容器支持部材と前記箱状体との間に相対移動規制手段が設けられ、前記スライド蓋の開閉運動時に前記飲料容器支持部材の移動が規制されると共に、前記飲料容器支持部材の突出端の突出限度位置が、前記箱状体の内面に当接しない位置に定められることを特徴とする請求項１に記載の自動車の小物入れ兼用カップホルダ装置。
【発明の詳細な説明】
【０００１】
【発明の属する技術分野】
本発明は、自動車の小物入れ兼用カップホルダ装置に関するものである。
【０００２】
【従来の技術】
コンソールボックスの後面部（乗員との対向面）に引出し自在に箱状体を取り付け、缶・瓶・紙コップ等の飲料容器の保持手段として利用し得るのみならず、小物入れとしても利用し得るように構成された自動車の小物入れ兼用カップホルダ装置を、特開平１１−４２９７４号公報において本出願人は既に提案している。
【０００３】
【特許文献１】
特開平１１−４２９７４号公報
【０００４】
【発明が解決しようとする課題】
しかるに、この先行技術によると、飲料容器を支持する部材としてのホルダプレートは、水平姿勢を維持するように弾発付勢されており、これが箱状体の開口面の一部を常に塞ぐようになっている。そのため、小物入れとしてカードや小銭などを箱状体の内部に収納した際に、この飲料容器支持部材が指先を差し込むことを邪魔することになり、小物入れとしての使い勝手を著しく低下させるという欠点があった。
【０００５】
本発明は、このような従来技術の問題点を解消すべく案出されたものであり、その主な目的は、カップホルダとしての機能と小物入れとしての機能とをより一層高次元に両立させることができるように改良された自動車の小物入れ兼用カップホルダ装置を提供することにある。
【０００６】
【課題を解決するための手段】
このような目的を果たすために、本発明の請求項１においては、箱状体３と、該箱状体の開口を閉じるスライド蓋２と、箱状体の開口面に沿って設けられる飲料容器支持部材６とを有する自動車の小物入れ兼用カップホルダ装置１を、前記飲料容器支持部材が、前記スライド蓋に摺動自在に取り付けられることを特徴とするものとした。
【０００７】
このようにすれば、スライド蓋を開いた時に飲料容器支持部材をスライド蓋と重なり合わせることができ、カップホルダとして利用する時にのみスライド蓋から飲料容器支持部材を突出させることができるので、小物入れとして利用する際に飲料容器支持部材が邪魔にならずに済む。
【０００８】
また請求項２においては、上記の構成に加えて、飲料容器支持部材と箱状体との間に相対移動規制手段（下向き凸部１４と上向き凸部１５）を設け、スライド蓋の開閉運動時に飲料容器支持部材の移動を規制すると共に、飲料容器支持部材の突出端の突出限度位置を、箱状体の内面に当接しない位置に定めることとした。
【０００９】
これにより、出し放しにした飲料容器支持部材が箱状体と一体的になり、スライド蓋を閉じる際に飲料容器支持部材が箱状体に突き当たらずに済むので、意匠面を傷付けたりするおそれを皆無にすることができる。
【００１０】
【発明の実施の形態】
以下に添付の図面を参照して本発明について詳細に説明する。
【００１１】
図１は、本発明が適用された自動車の前席回りを示している。本発明による小物入れ兼用カップホルダ装置は、運転席と助手席との間に車体の前後方向に延設されたコンソールボックスＣＢの前部に収容されている。コンソールボックスＣＢの天板ＵＰには開口Ｈが形成されており、この開口Ｈには、本発明装置の一部を構成するスライド蓋２が前後摺動自在に設けられている。
【００１２】
図２〜図４に示すように、小物入れ兼用カップホルダ装置１は、コンソールボックスＣＢの天板ＵＰの下面に沿って前後方向に摺動するスライド蓋２と、コンソールボックスＣＢの内方にてコンソールボックスＣＢに固定された箱状体３とからなっている。
【００１３】
スライド蓋２は、コンソールボックスＣＢの天板ＵＰの下面に固定される箱状体３の開口面に沿って前後移動自在なように箱状体３に結合されており、その上面の後端部（乗員に近い側）に突設されたつまみ４に指先を引っ掛けて開閉操作を行うようになっている。そしてスライド蓋２は、前方へ押し出すと、引き戸が開かれた際に戸袋内に収容される要領でコンソールボックスＣＢの天板ＵＰの下方に収容されて開口Ｈを開き、後方へ引き出すと、開口Ｈを塞ぐようにされている。
【００１４】
スライド蓋２は中空に形成されており、その内部に形成されたガイドレール５（図４参照）に摺合して前後摺動自在な飲料容器支持部材６が組み込まれている。
【００１５】
飲料容器支持部材６は、スライド蓋２の下面にその一端を繋着し、飲料容器支持部材６の前端部に枢着されたボビン７にその他端を巻回した定荷重ばね８により、常時後方へ、つまりスライド蓋２の後端縁から突出する向きに弾発付勢されている。
【００１６】
飲料容器支持部材６の左右方向一側には、スライド蓋２の内面に一体形成されたラック９に噛合するピニオン１０と直結された回転ダンパ１１が設けられている。そして飲料容器支持部材６の他側には、スライド蓋２の前端部下面に固着されたスプリングピン１２と係合可能なハートカム１３を応用したラッチ機構が設けられている。
【００１７】
なお、定荷重ばね８による突出方向駆動機構、回転ダンパ１１による突出速度調節機構、ハートカム１３によるオルタネート式ラッチ機構は、全てこの種のスライド装置に用いられる公知形式のものを適用し得る。
【００１８】
飲料容器支持部材６の下面の適所（前端部側）には、下向き凸部１４が設けられている。また箱状体３の上面の適所（前後方向中間部）には、飲料容器支持部材６の下向き凸部１４と係合可能な上向き凸部１５が設けられている。
【００１９】
次に本発明装置の使用要領について説明する。
【００２０】
前記した通り、スライド蓋２は、前方へ押せば開口Ｈが開かれ、後方へ引けば開口Ｈが塞がれる。そして開放時には、スライド蓋２の大部分がコンソールボックスＣＢの内方に収容され、その後端縁に飲料容器支持部材６の後端面が露出する。この飲料容器支持部材６の後端面をハートカム１３によるラッチ機構のオーバーストローク分だけ前方へ押し込むと、ラッチ機構のロック状態が解除され、定荷重ばね８の弾発力と回転ダンパ１１の抵抗力とにより、飲料容器支持部材６が適度な速度で後方へと突出してくる。
【００２１】
これにより、図２に実線で示したように、箱状体３の左右中間部に飲料容器支持部材６が突出し、カップホルダとしての機能が得られる。
【００２２】
飲料容器支持部材６を前方へ一杯押し込めば、ラッチ機構がロックし、飲料容器支持部材６がスライド蓋２の内方に収容された状態（図２の二点鎖線）が保持される。
【００２３】
飲料容器支持部材６がスライド蓋２から突出した状態のままスライド蓋２を後方へ引き出すと、途中までは飲料容器支持部材６はスライド蓋２と共に後退するが、箱状体３に設けられた上向き凸部１５に飲料容器支持部材６の下向き凸部１４が引っ掛かると、飲料容器支持部材６が箱状体３と共に静止した状態となる。従って、そのままスライド蓋２を一杯に閉じれば、スライド蓋２の内側に飲料容器支持部材６が収容された態様となる。このときは、ラッチ機構がロックするところまで飲料容器支持部材６がオーバーストロークしないが、スライド蓋２の内方への収容状態は保持される。ここで飲料容器支持部材６の突出端の突出限度位置は、箱状体３の後壁内面との間に適宜な隙間Ｇが開くように定められている。これにより、飲料容器支持部材６が箱状体３に衝当しないので、意匠面が傷付いたりすることがない。
【００２４】
この状態でスライド蓋２を開いた場合は、飲料容器支持部材６をとり残したままスライド蓋２が移動するので、箱状体３の左右中間部に飲料容器支持部材６が突出した状態となるが、スライド蓋２が開かれた後に改めて飲料容器支持部材６を一杯押し込めば、ラッチ機構がロックして飲料容器支持部材６がスライド蓋２の内方に収容された状態が保持される。従って、箱状体３の開口面に障害物が存在せず、小物入れとしての利便性が損なわれずに済む。このスライド蓋２の開放状態にあっては、飲料容器支持部材６のみをスライド蓋２から独立して自由に出し入れできることは言うまでもない。
【００２５】
【発明の効果】
以上詳述した通り本発明の請求項１に記載の構成によれば、スライド蓋の内部に飲料容器支持部材が収容され、スライド蓋の開閉運動と関わりなく飲料容器支持部材を出し入れできる上、飲料容器支持部材が突出した状態のままで蓋を閉じても、自動的に蓋の内部に収容されることとなる。従って、カップホルダとしての機能と小物入れとしての機能とを、より一層高次元に両立させる上に多大な効果を奏することができる。
【００２６】
また請求項２に記載の構成を上記構成に加えれば、出し放しにした飲料容器支持部材が箱状体と一体的になり、スライド蓋を閉じる際に飲料容器支持部材が箱状体に突き当たらずに済むので、意匠面を傷付けたりするおそれを皆無にすることができる。
【図面の簡単な説明】
【図１】本発明が適用された自動車の運転席回りの斜視図
【図２】本発明装置の上面図
【図３】図２中のＩＩＩ−ＩＩＩ線に沿う断面図
【図４】蓋の一部切除して示す下面図
【符号の説明】
１  カップホルダ装置
２  スライド蓋
３  箱状体
４  つまみ
５  ガイドレール
６  飲料容器支持部材
７  ボビン
８  定荷重ばね
９  ラック
１０  ピニオン
１１  回転ダンパ
１２  スプリングピン
１３  ハートカム
１４  下向き凸部
１５  上向き凸部
【図１】
2004149025.tif 000003
【図２】
2004149025.tif 000004
【図３】
2004149025.tif 000005
【図４】
2004149025.tif 000006